(57)【要約】      （修正有）【課題】崩壊の危険がある傾斜地盤を安定的かつ確実に固定することが出来る器材及びこれを用いた傾斜地盤の安定化工法を提供する。【解決手段】先端側に掘削刃２が取付けられ後端側に取付けられたテーパ状部３の端面中央からは接続係合用突起４が植設された掘削ビット１と、先端側に前記接続係合用突起４と係合する接続係合用凹穿部６が形成され、後端側に掘削ドリル７に接続させるおねじ部８が突設した延長シャフト５と、先端側から軸芯方向に複数のスリット１０が形成された楔締用鋼管９のねじ部１２に螺合されるおねじ溝１３が外周に形成された長さ調整用ボルト１４と支圧用円盤１５とその貫通孔２０の上面には前記長さ調整用ボルト１４と螺合するナット２１と共に、同じ面には放射状に孔明リブ２３が溶着され、前記支圧用円盤１５の上面に同心円状に重畳される固定用円盤１９とから構成した。【選択図】  図９
2006089979.tif 000002
【特許請求の範囲】
【請求項１】
円柱状をなし、先端面には掘削刃２が取付けられていると共に、後端側には截頭円錐形のテーパ状部３が形成されており、このテーパ状部３の端面中央からは同軸状に角柱状をなした接続係合用突起４が植設された掘削ビット１と；前記掘削ビット１より若干小さい外径を有する円柱状をなし、先端側には前記接続係合用突起４と係合する接続係合用凹穿部６が同軸状に形成されており、後端側には掘削ドリル７に接続させる為のおねじ部８が同軸状に突設されている延長シャフト５と；円筒状をなし、前記掘削ビット１のテーパ状部３の小径部分よりわずかに大きい内径を有し、先端側から軸芯方向に複数のスリット１０が形成された楔締用鋼管９と；前記楔締用鋼管とほぼ同じ外径を有し、後端側には同軸状にめねじ部１２が形成された長尺状の延長鋼管３７と；前記延長鋼管３７のめねじ部１２に螺合されるおねじ溝１３が外周に形成された長さ調整用ボルト１４と；周縁が下方に折り曲げられ、中央に貫通孔１８が形成された偏平ドーム状の支圧用円盤１５と；中央に貫通孔２０を有し、この貫通孔２０の上面には前記長さ調整用ボルト１４と螺合するナット２１が位置せしめられていると共に、同じ面には放射状に孔明リブ２３が溶着され、前記支圧用円盤１５の上面に同心円状に重畳される固定用円盤１９；とからなることを特徴とする傾斜地盤安定具。
【請求項２】
円柱状をなし、先端面には掘削刃２が取付けられていると共に、先端寄りの外周にその外径の３倍前後の幅を有する小螺旋翼３１が、それより後方寄りに一定距離をあけて同じく外径の５倍前後の大螺旋翼３２がそれぞれ固定されたアンカー体３０と；前記アンカー体３０とほぼ同じ外径を有し、後端側には同軸状にめねじ部１２が形成された延長鋼管３７と；延長鋼管３７のめねじ部１２に螺合されるおねじ溝１３が外周に形成された長さ調整用ボルト１４と；周縁が下方に折り曲げられ、中央に貫通孔１８が形成された偏平ドーム状の支圧用円盤１５と；中央に貫通孔２０を有し、この貫通孔２０の上面には前記長さ調整用ボルト１４と螺合するナット２１が位置せしめられていると共に、同じ面には放射状に孔明リブ２３が溶着され、前記支圧用円盤１５の上面に同心円状に重畳される固定用円盤１９；とからなることを特徴とする傾斜地盤安定具。
【請求項３】
請求項１又は２に記載された傾斜地盤安定具を、それぞれの緊張力ゾーン３４の外縁が接する様に接近させて三角形状に配置し、それぞれの地上部分をワイヤー３５によって三角形状に連結することを特徴とする傾斜地盤の安定化方法。
【請求項４】
請求項１又は２に記載した傾斜地盤安定具を、それぞれの緊張力ゾーン３４の外縁が接する様に接近させて三角形状に配置し、それぞれの地上部分をワイヤー３５によって三角形状に連結した傾斜地盤安定具群を基準単位とし、これを縦横方向に複数個配置し、それらの地上部分をワイヤー３５によって相互に連結したことを特徴とする傾斜地盤の安定化工法。
【発明の詳細な説明】
【技術分野】
【０００１】
この発明は傾斜地盤安定具及び傾斜地盤安定化工法、詳しくは、崩壊の危険がある傾斜地盤を安定的かつ確実に固定することが出来る器材及びこれを用いた傾斜地盤の安定化工法に関するものである。
【背景技術】
【０００２】
特に、山間部においては、集中豪雨などにより地表面の土砂が水分を含んで飽和状態となり、地表斜面が崩壊する土砂災害が毎年多く発生している。これら地表斜面の崩壊の約７０％は地表面下２ｍ前後で起きており、このことから地表面下２ｍ以下は安定した岩盤あるいは硬質土であることは明らかである。
【特許文献１】特許第３０３３６７８号公報
【特許文献２】特公昭４９−９４８２号公報
【非特許文献１】なし
【発明の開示】
【発明が解決しようとする課題】
【０００３】
前記特許文献１には、掘削ドリルの先端にロックボルトを接続し、ロックボルトの先端に取付けられた掘削ビットにより、地表面の下層に位置した岩盤を掘削し、形成された穴にグラウト材（セメントミルク）を充填し、グラウト材によってロックボルトと岩盤とを結合させてアンカー機能を持たせると共に、ロックボルトの後部を地表上に突出させ、支圧盤に接続してロックボルトに緊張力を与え、支圧盤によって地盤を圧縮してこれを支持する傾斜面の安定化工法が開示されている。
【０００４】
又、同文献には、適当間隔でロックボルトを設置し、支圧盤同士をワイヤーによって相互に緊張状態を保つ様に連結し、全体で地盤を支持する様にした技術も開示されている。
【０００５】
一方、従来の一般的な傾斜地盤安定化工法においては、支圧盤はコンクリート製あるいは鋼製であり、その底面は平板状のものが通常であった。
【０００６】
しかしながら、これら従来のものにおいては、支圧盤底面と地盤面との間で滑りが生じやすく、支持力が地盤面に均等にかかりにくかった。
【０００７】
又、支圧盤がコンクリート製である場合は、重量が大きいので傾斜面である施工現場における取扱い及び運搬作業は非常に困難であった。一方、前記特許文献１に開示されている傾斜面安定化工法においては、岩盤を掘削し、掘削した穴にグラウト材（セメントミルク）を注入してロックボルトと岩盤とを固定する様にしているが、グラウト材の場合、硬化強度にバラツキが生じやすく、アンカーとしてのロックボルトの引張り強度を十分に確保できないばかりではなく、周辺の地下水汚染の原因となり、生活環境に悪影響を与えるおそれもあった。又、支圧盤同士をワイヤーによって相互に緊張連結したとしても、従来の支圧盤の場合、特に急な傾斜面などでは、支圧盤底面と地盤面との間で滑りが生じやすく、この滑りによって支圧盤相互間の相互緊張状態が失われ、支圧盤同士の緊張を保った連結による安定力の強化といった所期の目的は全く達成されない場合があった。
【０００８】
本発明者は、上述の通り、技術的に問題の多かった傾斜地盤の安定化を実現すべく鋭意研究を行った結果、傾斜地盤を安定的かつ確実に固定できると共に、周辺の地下水を汚染させることがなく、環境保全の面からも極めてすぐれた傾斜地盤安定具及びこれを用いた安定化工法を開発することに成功し、本発明としてここに提案するものである。
【課題を解決するための手段】
【０００９】
円柱状をなし、先端側には掘削刃２が取付けられていると共に、後端側には截頭円錐形のテーパ状部３が形成されており、このテーパ状部３の端面中央からは同軸状に角柱状をなした接続係合用突起４が植設された掘削ビット１と；前記掘削ビット１より若干小さい外径を有する円柱状をなし、先端側には前記接続係合用突起４と係合する接続係合用凹穿部６が同軸状に形成されており、後端側には掘削ドリル７に接続させる為のおねじ部８が同軸状に突設されている延長シャフト５と；円筒状をなし、前記掘削ビット１のテーパ状部３の小径部分よりわずかに大きい内径を有し、先端側から軸芯方向に複数のスリット１０が形成された楔締用鋼管９と；前記楔締用鋼管９とほぼ同じ外径を有し、後端側には同軸状にめねじ部１２が形成された長尺状の延長鋼管３７と；前記延長鋼管３７のめねじ部１２に螺合されるおねじ溝１３が外周に形成された長さ調整用ボルト１４と；周縁が下方に折り曲げられ、中央に貫通孔１８が形成された偏平ドーム状の支圧用円盤１５と；中央に貫通孔２０を有し、この貫通孔２０の上面には前記長さ調整用ボルト１４と螺合するナット２１が位置せしめられていると共に、同じ面には放射状に孔明リブ２３が溶着され、前記支圧用円盤１５の上面に同心円状に重畳される固定用円盤１９；とから傾斜地盤安定具を構成することにより、上記課題を解決した。又、円柱状をなし、先端面には掘削刃２が取付けられていると共に、先端寄りの外周にその外径の３倍前後の幅を有する小螺旋翼３１が、それより後方寄りに一定距離をあけて同じく外径の５倍前後の大螺旋翼３２がそれぞれ固定されたアンカー体３０を前記掘削ビット１の代りに用いることにより、傾斜地盤の下層に岩盤２４が存在しない地質構造の場合にも傾斜地盤の安定化が図れる様にした。
【発明の効果】
【００１０】
アンカーとして作用する楔締用鋼管９又はアンカー体３０は、岩盤２４あるいは砂質土や粘性土、コンクリートなどからなる支持地盤３３に確実に固定され、十分な緊張力を支圧用円盤１５に加えることが出来、傾斜地盤を確実かつ安定的に保持することが可能となる。又、この傾斜地盤安定具において用いられている鋼管を大径肉厚とした場合、鋼管は自立して地滑りの水平方向の動きにも十分抗することが出来る様になるだけではなく、地滑り以外のコンクリートのアンカーとしても使用が可能となる。更に、グラウト材を用いて地盤に固定するのでない為、緊張力にバラツキが生じることがなく、面的な広がりを持った所望区域に均一な押圧力を加え、土砂崩壊を防ぐことが出来ると共に、地下水汚染のおそれもなくなり、環境保全上からも非常に有利である。
【００１１】
更に、支圧用円盤１５は金属あるいは高分子材料製であるので、従来のコンクリート製のものに比べ、重量が軽く、取扱いや運搬が容易で、急斜面での作業も容易である。又、支圧用円盤１５には、地盤に喰い込む折り返しが形成されているので、滑りが生じて横方向にずれることがなく、地表面２６が軟弱土質であっても、確実にその位置を保持することが出来る。
【発明を実施するための最良の形態】
【００１２】
その頭部を打撃することにより外側に拡がり、岩盤２４に形成された掘削孔２５と掘削ビット１との間の隙間に確実強固に嵌り込む楔締用鋼管９又は安定した砂質土あるいは粘性土に螺合する大小一対の螺旋翼３１、３２を有するアンカー体３０を用いると共に、支圧用円盤１５の周縁に折り返しを形成し、この押し返しが地表面２６に喰い込むようにしたことを最大の特徴とする。
【実施例１】
【００１３】
図１乃至図６はこの発明に係る傾斜地盤安定具の一実施例の各構成部材の分解図及び結合図である。図中１はその構成部材の一つである掘削ビットであり、堅牢な金属を素材とし、円柱状をなしており、その先端側端面には掘削刃２が取付けられていると共に、後端側には截頭円錐形のテーパ状部３が一体的に形成されており、このテーパ状部３の端面中央からは同軸状に六角柱状をなした接続係合用突起４が植設されている。又、図中５は延長シャフトであり、前記掘削ビット１より若干小さい外径を有する円柱状をなしており、その先端側の端面には前記掘削ビット１の接続係合用突起４と係合する接続係合用凹穿部６が同軸状に形成されており、後端側には掘削ドリル７に接続させる為のおねじ部８が同軸状に突設されている。
【００１４】
更に、図中９は楔締用鋼管であり、円筒状をなしており、その内径は前記掘削ビット１のテーパ状部３の小径部分よりわずかに大きく形成されていると共に、先端側からは長手方向即ち軸芯に沿って複数条のスリット１０が形成されている。又、３７は延長鋼管であり、前記楔締用鋼管９とほぼ同じ外径を有し、その後端側の開口部には栓１１が溶接されており、この栓１１の中央には同軸状にめねじ部１２が形成され、外周全体におねじ溝１３が形成された長さ調整用ボルト１４を螺合出来る様になっている。
【００１５】
一方、図５及び図６中１５は偏平ドーム状をなした支圧用円盤であり、金属あるいは高分子材料から形成されており、周縁が下方に向って円弧状に折り曲げられ喰い込み部３６となっていると共に、中央から放射状に延びた６本の放射状溝１６とこの放射状溝１６を横切る様に同心円状に位置した円弧状溝１７がそれぞれ形成されており、これら放射状溝１６及び円弧状溝１７の周縁も下方に向って円弧状に折り曲げられ、喰い込み部３６となっている。又、その中央には貫通孔１８が形成されており、この貫通孔１８を前記長さ調整用ボルト１４が貫通出来る様になっている。
【００１６】
更に、図中１９は固定用円盤であり、中央には貫通孔２０が設けられており、この貫通孔２０の上面には前記長さ調整用ボルト１４と螺合するナット２１が位置せしめられていると共に、同じ面には板状をなし、中央には貫通孔２２があけられた孔明リブ２３が放射状に３枚溶着されており、前記支圧用円盤１５の上面に同心円状に重畳せしめられる様になっている。
【００１７】
この様に、この実施例１は掘削ビット１、延長シャフト５、楔締用鋼管９、延長鋼管３７、長さ調整用ボルト１４、支圧用円盤１５、固定用円盤１９とにより構成されており、下記の手順によって傾斜地盤の固定に用いられる。
【００１８】
即ち、掘削ボルト７の先端に延長シャフト５を接続し、更にこの延長シャフト５の先端側の凹穿部６に掘削ビット１の接続係合用突起４を係合させ、延長シャフト５に掘削ビット１を固定し、図２に示す様な状態とし、掘削ビット１の掘削刃２を回転させ、傾斜地盤下層の岩盤２４を掘削し、掘削孔２５を形成する。なお、岩盤２４は通常地表面２６から２ｍ前後の位置にあるので、延長シャフト５は掘削ビット１がこれに届くに足る十分な長さとなっている。
【００１９】
この様にして、岩盤２４に掘削孔２５を形成したなら、延長シャフト５から掘削ドリル９を分離撤去し、図７に示す様に、延長シャフト５をガイドとして楔締用鋼管９を掘削ビット１に被せる。そして、この状態において、楔締用鋼管９の後端面をハンマー等によって打撃する。楔締用鋼管９は図８に矢印で示す様に、掘削孔２５の底の方へ向って前進し、この楔締用鋼管９の先端側にはスリット１０が形成されているので、楔締用鋼管９は掘削ビット１のテーパ状部３によって内側から強制的に押し拡げられ、掘削ビット１の外周と掘削孔２５との間の隙間に嵌り込み、この楔締用鋼管９はその拡張力によって岩盤２４に形成された掘削孔２３に強固に楔締され、アンカーとして作用することになる。
【００２０】
この状態において、延長シャフト５を引き抜き、掘削ビット１の後端に延長鋼管３７を接続し、延長鋼管３７の後端のめねじ部８に長さ調整用ボルト１４の先端側を螺合し、この長さ調整用ボルト１４を支圧用円盤１５の貫通孔１８及び固定用円盤１９の貫通孔２２にそれぞれ挿通すると共に、ナット２１に螺合させ、これを締め付け、アンカーとして作用している楔締用鋼管９に緊張力を付与して固定用円盤１９に重畳された支圧用円盤１５を地表面に圧着せしめ、図９に示す状態にして一連の施工作業を完了する。
【００２１】
このとき、支圧用円盤１５の周縁、放射状溝１６及び円弧状溝１７の周縁には、いずれも下方に向って円弧状に折り曲げられた喰い込み部３６が形成されているので、これら喰い込み部３６は、地表面２６に喰い込むと共にこれを包み込み、支圧用円盤１５の横方向への滑りを防ぐことになる。
【００２２】
この実施例１は上記の通りの構成を有するものであり、グラウト材などを用いることなく、楔締用鋼管９の拡張力によって岩盤２４に楔締されるので、アンカーとして作用する楔締用鋼管９の緊張力を常に一定に保ち、支圧用円盤１５の支圧力を安定化させることが出来る。又、支圧用円盤１５は金属あるいは高分子材料から成形したものであるので、従来のコンクリート製支圧盤に比べ、加工しやすく、周縁や放射状溝１６、円弧状溝１７の成形も容易であると共に、重畳が小さく、取扱いや運搬がしやすく、急斜面での工事も容易に実施できる。更に、グラウト材を用いないので、周辺の地下水汚染を引き起こすことがなく、生活環境に悪影響を与えることがない。
【実施例２】
【００２３】
図１０及び図１１はこの発明に係る傾斜地盤安定具の実施例２の側面図であり、この実施例２は傾斜地盤安定化工法を施工すべき所望の地盤下層に岩盤が存在しない場合に用いる傾斜地盤安定具に関するものである。図中３０は円柱状をしたアンカー体であり、前述の実施例１と同様に、先端端面には掘削刃２が取付けられており、前端からわずかに後退した外周にはその外径の３倍前後の幅を有する小螺旋翼３１が、更にその後方には一定の距離をあけて同じく外径の５倍前後の幅を有する大螺旋翼３２がそれぞれ固定されている。なお、このアンカー体３０の全長は大螺旋翼３２が地盤下層の比較的安定した砂質土や粘性土などからなる支持地盤３３に達することが出来る長さとなっている。又、３７は延長鋼管であり、その後端には栓１１が溶着されて、この栓１１には実施例１と同様にめねじ部１２が形成され、このめねじ部１２に実施例１と同じ長さ調整用ボルト１４が螺合固定される様になっている。そして、このアンカー体３０の後端には実施例１と同じ支圧用円盤１５及び固定用円盤１９が重畳固定される様になっている。
【００２４】
この実施例２においては、アンカー体３０の後端に掘削ドリル７を固定し、この掘削ドリル７によってアンカー体３０を回転させ、小螺旋翼３１及び大螺旋翼３２の螺旋前進力によって地中にねじ込み、図１０に示す様に、小螺旋翼３１及び大螺旋翼３２が共に支持地盤３３に達したなら、掘削ドリル７を分離撤去し、その後端に延長鋼管３７を接続し、図１１に示す様に、延長鋼管３７の後端に実施例１と同様に支圧用円盤１５と固定用円盤１９を重畳固定して締め付け、アンカー体３０に緊張力を付与して傾斜地盤の固定を行う。この実施例２においては、小螺旋翼３１及び大螺旋翼３２の上部にかかる引き抜きの地盤反力によってアンカー機能が果たされており、岩盤が存在しない場合であっても、従来のグラウト材を用いたものに比べ、はるかに強力な固定が可能となっている。
【実施例３】
【００２５】
次に、図１２及び図１３に基づいて実施例３について説明する。この実施例３は実施例１及び実施例２として説明した傾斜地盤安定具を用いた傾斜地盤安定化工法に関するものであり、この実施例３においては、傾斜地盤安定具３個を、それぞれ地盤緊張力が相互に及ぶ様に三角形状に配置し、相互に連結して相乗効果を得ようとしたものである。
【００２６】
即ち、実施例１及び実施例２に示した傾斜地盤安定具においては、図１２及び図１３にそれぞれ破線で示す様に、截頭円錐形状の緊張力ゾーン３４が支圧用円盤１５と楔締用鋼管９の下部又は小螺旋翼３１との間に生じるが、この実施例３においてはこの緊張力ゾーン３４の外縁が接する様に支圧用円盤１５を接近させて三角形状に配置し、固定用円盤１９の孔明リブ２３の貫通孔２２、２２内にワイヤー３５を通して、３つの固定用円盤１９、１９を相互にワイヤー３５によって三角形状に結合したものである。
【００２７】
この様に、傾斜地盤安定具を三角形状に配置し、相互にワイヤー３５によって連結することにより、傾斜面全体に緊張力が与えられ、各傾斜地盤安定具の相互補完作用により、地盤の保持力は相乗的に向上する。なお、設置した各傾斜地盤安定具間に樹木を植えても良く、その場合には樹木の根の地盤保持力も付加され、更に地盤は強固に保持される。又、この傾斜地盤安定具において用いられる鋼管を大径肉厚にすることにより、鋼管はそれ自体自立して地滑りの水平方向の動きにも十分対向出来る様になり、更にはコンクリートのアンカーとしても使用可能となる。
【実施例４】
【００２８】
次に、実施例４は上記実施例３に示した三角形状に配置され、相互に連結された傾斜地盤安定具群を基準単位とし、更にこれらを図１４や図１５に示す様に網目状に多数配置してそれぞれ相互に連結したものであり、この場合にはより広い傾斜面全体を一体的に安定的に保持することが可能となる。
【産業上の利用可能性】
【００２９】
各種土木工事分野において広く利用可能である。
【図面の簡単な説明】
【００３０】
【図１】この発明に係る傾斜地盤安定具の主要構成部材である掘削ビット１、延長シャフト５、掘削ドリル７を分離して描いた正面図。
【図２】同じく、それらを結合した状態の正面図。
【図３】この発明に係る傾斜地盤安定具の主要構成部材である掘削ビット１、延長シャフト５、楔締用鋼管９、延長鋼管３１を分離した状態の正面図。
【図４】主要構成部材の一つである楔締用鋼管９の斜視図。
【図５】主要構成部材の一つである支圧用円盤１５と固定用円盤１９が組み合わされた状態の平面図。
【図６】同じく、その半截正面断面図。
【図７】この発明に係る傾斜地盤安定具を岩盤２４に打ち込む直前の状態を示した部分半截縦断面図。
【図８】同じく、岩盤２４に打ち込み、延長シャフト５を抜き取る前の状態の部分半截縦断面図。
【図９】同じく、岩盤２４に打ち込み固定が完了した状態の半截縦断面図。
【図１０】この発明に係る傾斜地盤安定具の実施例２の固定作業中の状況を示したその半截縦断面図。
【図１１】同じく、固定が完了した状態の半截縦断面図。
【図１２】実施例３に示した傾斜地盤の安定化工法を実施した状況を示した地盤部分の断面図。
【図１３】同じく、その平面図。
【図１４】実施例４に示した傾斜地盤の安定化工法を実施した状況を示した地盤部分の平面図。
【図１５】同じく、他の例の平面図。
【符号の説明】
【００３１】
１    掘削ビット
２    掘削刃
３    テーパ状部
４    接続係合用突起
５    延長シャフト
６    凹穿部
７    掘削ドリル
８    おねじ部
９    楔締用鋼管
１０    スリット
１１    栓
１２    めねじ部
１３    おねじ溝
１４    長さ調整用ボルト
１５    支圧用円盤
１６    放射状溝
１７    円弧状溝
１８    貫通孔
１９    固定用円盤
２０    貫通孔
２１    ナット
２２    貫通孔
２３    孔明リブ
２４    岩盤
２５    掘削孔
２６    地表面
３０    アンカー体
３１    小螺旋翼
３２    大螺旋翼
３３    支持地盤
３４    緊張力ゾーン
３５    ワイヤー
３６    喰い込み部
３７    延長鋼管
【図１】
2006089979.tif 000003
【図２】
2006089979.tif 000004
【図３】
2006089979.tif 000005
【図４】
2006089979.tif 000006
【図５】
2006089979.tif 000007
【図６】
2006089979.tif 000008
【図７】
2006089979.tif 000009
【図８】
2006089979.tif 000010
【図９】
2006089979.tif 000011
【図１０】
2006089979.tif 000012
【図１１】
2006089979.tif 000013
【図１２】
2006089979.tif 000014
【図１３】
2006089979.tif 000015
【図１４】
2006089979.tif 000016
【図１５】
2006089979.tif 000017